Podtech/llm-jp-corpus-v4-ja_patent huggingface dataset:
(57)【要約】【課題】  可動子ベースからの抜去力が大きく、信頼性の高い可動コイル型コアレスリニアモータを得る。【解決手段】  本発明の可動コイル型コアレスリニアモータは、偏平形の成形コイル２が設けられた配線基板３の一部を、可動子ベース１の溝部１ａに樹脂でモールドして固定された可動子と、この可動子を駆動する固定子とからなるもので、可動子ベース１の溝部１ａは、成形コイル２と対面していない部位に凹部１ｂが設けられ、この凹部１ｂに樹脂をモールドした構成である。また、可動子ベース１の溝部１ａに挿入される配線基板３は、成形コイル２が設けられていない部位に貫通穴３ａを有している。【選択図】    図１
2006087181.tif 000002
【特許請求の範囲】
【請求項１】
偏平形の成形コイルが設けられた配線基板の一部を、可動子ベースの溝部に樹脂でモールドして固定されたと可動子と、前記可動子を駆動する固定子とからなる可動コイル型コアレスリニアモータにおいて、
前記可動子ベースの溝部は、前記成形コイルと対面していない部位に凹部が設けられ、この凹部に前記樹脂をモールドしたことを特徴とする可動コイル型コアレスリニアモータ。
【請求項２】
前記可動子ベースの溝部に挿入される前記配線基板は、前記成形コイルが設けられていない部位に貫通した貫通穴を有することを特徴とする請求項１記載の可動コイル型コアレスリニアモータ。
【発明の詳細な説明】
【技術分野】
【０００１】
本発明は可動コイル型コアレスリニアモータの可動子構造に関する。
【背景技術】
【０００２】
従来の可動コイル型コアレスリニアモータ可動子として、図４に示すものがある。図において、１は可動子ベース、２は成形コイル、３は配線基板、４はエポキシ樹脂、５は可動子ベース１とエポキシ樹脂４との接着面である。図５は図４のＢ−Ｂ’線に沿う断面図である。１ａは可動子ベースの溝部である。
成形コイル２が配線基板３上に接着固定され、配線基板と共に可動子ベース溝部に位置決めされ、エポキシ樹脂で可動子ベース１と一体成形されている。そして、エポキシ樹脂４の接着性により、エポキシ樹脂４と可動子ベース１の間、エポキシ樹脂４と配線基板３の間の接着力により、可動子ベース１と配線基板３、成形コイル２の固定が保持されている。
また、可動コイルを樹脂で一体モールドしてコイルガイドを形成し、接着作業と絶縁処理を不要にしたリニアモータも提案されている（例えば、特許文献１参照）。
【特許文献１】実開平６−２９３８９号公報
【発明の開示】
【発明が解決しようとする課題】
【０００３】
従来の可動コイル型コアレスリニアモータ可動子は、成形コイルからの発熱に対してより良い放熱性を確保するため、成形コイルを可動子ベース溝内に配置する必要がある。また、固定子の単位長さ当たりのストロークをより長くとるために、可動子ベース長さを短くする必要があり、可動子ベースとエポキシ樹脂の接着面積が制限される。このため、可動子ベースと成形コイルとの接着力が不足し抜け外れるという問題が懸念される。
そこで、本発明はこのような問題点に鑑みてなされたものであり、接着力を向上させ、抜去力が大きく、信頼性の高い可動コイル型コアレスリニアモータを提供することを目的とする。
【課題を解決するための手段】
【０００４】
上記の課題を解決するため本発明は、偏平形の成形コイルが設けられた配線基板の一部を、可動子ベースの溝部に樹脂でモールドして固定されたと可動子と、前記可動子を駆動する固定子とからなる可動コイル型コアレスリニアモータにおいて、前記可動子ベースの溝部は、前記成形コイルと対面していない部位に凹部が設けられ、この凹部に前記樹脂をモールドしたものである。
また、前記可動子ベースの溝部に挿入される前記配線基板は、前記成形コイルが設けられていない部位に貫通した貫通穴を設けてもよい。
【発明の効果】
【０００５】
本発明の請求項１に記載の発明によれば、可動子ベース溝部の成形コイルと対面していない箇所に凹部を設けたので、可動子ベースとエポキシ樹脂の接着面積を広くすることができる。
また、請求項２に記載の発明によれば、配線基板の可動子ベース溝部に挿入される箇所に貫通穴を設けたので、配線基板両側のエポキシ樹脂に繋がりができ、可動子モールド部の抜去力を向上させることができる。
【発明を実施するための最良の形態】
【０００６】
以下、本発明の実施の形態について図を参照して説明する。
【実施例１】
【０００７】
図１は、本発明の一実施例を示す可動コイル型コアレスリニアモータの可動子の正面図である。図において、３ａは配線基板３に設けた貫通穴である。他の符号は従来例と同じであるため、説明を省く。図２は、図１のＡ−Ａ’線に沿う断面図である。１ｂは可動子ベース１の溝部１ａに設けた凹部である。この凹部１ｂの詳細を図３の拡大断面図に示す。
可動子ベース１の溝部１ａの成形コイル２と対面していない箇所に凹部１ｂを設けている。これにより、可動子ベース１とエポキシ樹脂４の接着面５を広くすることができる。また配線基板３の可動子ベース１の溝部１ａに挿入される箇所に貫通穴３ａを設けている。これにより、配線基板３の両側のエポキシ樹脂４に繋がりができ、可動子モールド部抜去力が向上する。
【図面の簡単な説明】
【０００８】
【図１】本発明の一実施例を示すリニアモータ可動子の正面図
【図２】図１のＡ−Ａ’線に沿う断面図
【図３】図２の可動子ベースの凹部を示す拡大断面図
【図４】従来のリニアモータ可動子を示す正面図
【図５】図４のＢ−Ｂ’線に沿う断面図
【符号の説明】
【０００９】
１  可動子ベース
１ａ  溝部
１ｂ  凹部
２  成形コイル
３  配線基板
３ａ  貫通穴
４  エポキシ樹脂
５  接着面
【図１】
2006087181.tif 000003
【図２】
2006087181.tif 000004
【図３】
2006087181.tif 000005
【図４】
2006087181.tif 000006
【図５】
2006087181.tif 000007
(57)【要約】【課題】  取り付け、取り外しを容易に行うことができるブラシホルダーを提供する。【解決手段】  高速エアスピンドルモータのスピンドルの後端部に装着されるブラシホルダーにおいて、スピンドル３の後端部の外周面に雄ねじ３ａを形成するとともに、ブラシホルダー２のスピンドルへの取り付け部に、外径がスピンドル３の雄ねじ３ａよりも小さい鍔２ａを設け、断面がＬ字形の手締めナット５をスピンドル３の雄ねじ３ａに螺合させて、ブラシホルダー２の鍔２ａを、手締めナットとスピンドルの後端部との間で挟持する。【選択図】        図１
2006087183.tif 000002
【特許請求の範囲】
【請求項１】
高速エアスピンドルモータのスピンドルの後端部に装着されるブラシホルダーにおいて、
前記スピンドルの後端部の外周面に雄ねじを形成するとともに、前記ブラシホルダーのスピンドルへの取り付け部に、外径が前記スピンドルの雄ねじよりも小さい鍔を設け、
断面がＬ字形の手締めナットを前記スピンドルの雄ねじに螺合させて、前記ブラシホルダーの鍔を、前記手締めナットとスピンドルの後端部との間で挟持したことを特徴とするブラシホルダー。
【発明の詳細な説明】
【技術分野】
【０００１】
本発明は、ワンタッチで交換が可能なブラシホルダーに関するものである。
【背景技術】
【０００２】
スピンドルモータは、高速になると気体軸受を用いたエアスピンドルモータが採用される（例えば、特許文献１参照）。
また、原点位置検出のために、ブラシを内蔵したブラシホルダーが装着されている。
前記ブラシは、加工時ブレードとワークとの原点位置検出として使用されている。
また、従来より、前記ブラシホルダーは、図２に示すように、ブラシ１を装着したブラシホルダ２を、スピンドル３の後端部に、複数個のボルト４を用いて固定する構成になっている。
このような構成のブラシホルダー２においては、ブラシ１が摩耗したとき、ブラシホルダー２の交換作業は、工具を使用して複数個のボルト４を取り外し、再度取り付ける方式がとられている。
【特許文献１】実開平６−２９６４号公報
【発明の開示】
【発明が解決しようとする課題】
【０００３】
しかしながら、このような従来技術においては、次のような問題があった。
(1) スピンドルがマシンに装着されると、ブラシホルダーはかくれた位置にくることが多く、見えない箇所での小さな複数個のボルトの取り外し、取り付け作業は非常に面倒で、手間がかかる。
(2) 工具を使用して複数個のボルトを取り外し、取り付ける作業は、工具を動かすスペースにゆとりがない場合は、動作量に限界があり、長い作業時間が必要になる。
(3) また、工具は手の指先のようにボルトをしっかりと掴むことはできないので、取り外したボルトが、マシン内に落下する危険性がある。
本発明は、このような問題を解決するためになされたもので、取り付け、取り外しを容易に行うことができるブラシホルダーを提供することを目的とするものである。
【課題を解決するための手段】
【０００４】
上記課題を解決するために、本発明は、高速エアスピンドルモータのスピンドルの後端部に装着されるブラシホルダーにおいて、前記スピンドルの後端部の外周面に雄ねじを形成するとともに、前記ブラシホルダーのスピンドルへの取り付け部に、外径が前記スピンドルの雄ねじよりも小さい鍔を設け、断面がＬ字形の手締めナットを前記スピンドルの雄ねじに螺合させて、前記ブラシホルダーの鍔を、前記手締めナットとスピンドルの後端部との間で挟持するようにしたものである。
【発明の効果】
【０００５】
本発明によれば、次のような効果がある。
(1) スピンドルがマシンに装着され、ブラシホルダーがかくれた位置にきても、大きな１つの手締めナットを取り外し、取り付けすればよいだけであるので、作業は非常に簡単で短時間で終えることができる。
(2) 工具を使用する必要がないので、大きなスペースを必要としない。
(3) 手締めナットは、作業者の手でしっかりと掴むことができるので、取り外したナットが、マシン内に落下することがない。
【発明を実施するための最良の形態】
【０００６】
以下に、本発明の実施例を図に基づいて説明する。
【実施例】
【０００７】
図１は本発明の実施例を示す側断面図である。
図１において、スピンドル３の後端部の外周面には、雄ねじ３ａが形成されている。また、ブラシホルダー２のスピンドル３への取り付け部には、外径が前記スピンドルの雄ねじ３ａよりも小さい鍔２ａを設けている。
前記ブラシホルダー２は、断面がＬ字形の手締めナット５を前記スピンドルの雄ねじ３ａに螺合させて、前記ブラシホルダー２の鍔２ａを、前記手締めナット５とスピンドル３の後端部との間で挟持するようにしている。
このため、 スピンドル３がマシンに装着され、ブラシホルダー２がかくれた位置にきても、大きな１つの手締めナット５を取り外し、取り付けすればよいだけであるので、作業は非常に簡単で短時間で終えることができる。
また、工具を使用する必要がないので、大きなスペースを必要としない。さらに、手締めナット５は、作業者の手でしっかりと掴むことができるので、取り外した後も、マシン内に落下することがない。
【図面の簡単な説明】
【０００８】
【図１】本発明の実施例を示す側断面図である。
【図２】従来技術を示す側断面図である。
【符号の説明】
【０００９】
１    ブラシ
２    ブラシホルダー
２ａ  鍔
３    スピンドル
３ａ  雄ねじ
４    ボルト
５    手締めナット
【図１】
2006087183.tif 000003
【図２】
2006087183.tif 000004
(57)【要約】      （修正有）【課題】ライフィッシングでは、この釣法がもっとも効果的である、早朝、日出前及び日没時に使用できる毛バリが、従来限定的であり極めて少なかった。【解決手段】毛バリ本体であるフライボディ部の中心部に微少青色ＬＥＤ光源３０を位置させ、そこから光ファイバーを束ねたフライテール部１３を、毛バリ本体から露出させ、フライボディ部およびフライテール部１３の両方の発光によって集魚効果を上げるようにした疑似バリを考案した。【選択図】図３
2006087420.tif 000002
【特許請求の範囲】
【請求項１】
毛バリの本体中心部には、微小青色ＬＥＤ発光部が存在し、電源供給を目的とする導線を通じ、発光部に接続した微小青色ＬＥＤ発光部には、光ファイバーを束ねたテール部が接続され、テール部はフライ本体の最後部に伸び、フライ本体から露出しテール部を形成し、テール部は発光と水中でのフライの安定化を目的とし、ボディ部の発光及びテール部での発光により、集魚効果を上げることを特徴とする擬似バリ。
【発明の詳細な説明】
【技術分野】
【０００１】本発明は、フライフィッシングと呼称される釣法に関するもので、フライラインの一方の端末に接続される、西洋毛バリに関するものである。
【背景技術】
【０００２】従来、西洋毛バリはフライラインの重量を活かし、毛バリを遠投する為、毛バリ自体の重量及び形態等の制限から、限定的な加工しか出来ないなど問題があった。
【発明の開示】
【発明が解決しようとする課題】
【０００３】従来の西洋毛バリには次ぎのような問題点があった。
フライフィッシングは早朝日出前から日出及び夕方から日没にかけて、その釣法が効果的であるが、多くのフライフィッシャーマン（フライを愛好する釣り人）は早朝日出前及び日没時に使用する毛バリが限定的であり極めて少なかった。【０００４】上記、毛バリの選択肢の少なさを指摘し、毛バリの構造について積極的な発明及び考案に結びつがない多くの課題は、毛バリの重量超過が課題であったためである。【０００５】また、早朝日出前及び日没後の釣行に際し、釣り人に対する毛バリの視認性を上げることは、同時に魚類に対する警戒心を高め、逆に魚類の拡散という結果であった。【０００６】従って、この発明の目的は、毛バリの重量に影響を与えず、釣り人、魚類、双方に毛バリの視認性を確保し、魚類への警戒心を取り除く、自然発光に近い光源を使用した毛バリを提供することにある。
【課題を解決するための手段】
【０００７】前記課題を解決するため、種々の検討を重ねた結果、まず光源として青色ＬＥＤ（青色発光ダイオード）が釣り人からの視認性にも優れ、魚類に対しては、自然光に近い発色となり、警戒心を起させないなど、毛バリの特性を失わず、毛バリの存在を魚類に示す結果を獲得できた。【０００８】すなわち、請求項１記載の発明は、西洋毛バリの中でも、水面下で使用されるウエット・フライに最も適した考案であり、フライ本体のボディ部の中心に青色ＬＥＤを光源とする発光部を備え、その発光部から束ねられた、光ファイバーはテール部を構成し、一つの光源で、フライボディ部とテール部を発光する構造を特徴とするものである。
【発明の効果】
【０００９】本発明によると、光ファイバー利用による擬似バリは構造・機構ともシンプルであり、しかも毛バリの重量にも影響が少なく、また、耐久性を考慮し、青色ＬＥＤ発光部及びテール部への接続部は、高分子接着物質により密封溶着し、同時に耐水性を高めることが出来たため、水中での使用を前提とするウエットフライには最適の西洋毛バリを作成することができた。
【発明を実施するための最良の形態】
【実施例】
【００１０】以下、本発明の実施形態を図を参照して説明する。図１には本発明、光ファイバー利用による擬似バリの斜視図Ｘが示されているが、西洋毛バリの中でも水中で主に用いられる毛バリでウエットフライと呼称される擬似バリである。【００１１】この毛バリにはフライフックアイホール１０により、道糸と結節され使用されるが、毛バリの水中における安定的な姿勢を確保することは釣果にも大きく影響するが、テール部１３は毛バリが水中で安定的な姿勢を確保する上での重要部材である。【００１２】本発明の光ファイバー利用による擬似バリは、上記、重要部材としてテール部１３に光ファイバーを使用し、水中での毛バリが安定した姿勢を確保することを一つの目的としている。【００１３】また、テール部１３の光ファイバーは図３で示すように、フライ本体の中心部に青色ＬＥＤ光源３０を持ち、その光源に接続されるテール用受光部３１に接続され、テール部は光源がら受けた光を光ファイバー内に採り込み、個々のファイバーが発光し集魚効果を高めることを同時に目的としている。【００１４】尚、青色ＬＥＤ光源３０へは、フライ本体外から電源供給線２０を通じ直流電源が供給されるが、図２で示すように、フライフックアイホール１０を経由して、道糸の中空部に導通されている電源線へと接続され、電源供給が行われる。
【産業上の利用可能性】
【００１５】
【００１６】本発明における、光ファイバー利用による擬似バリは、構造が簡便で耐久性があり、安価なコストにより実現でき、しかも日常の維持管理が容易で取扱いが楽なため、特段のメンテナンスを必要とせず、フライフィッシングの最適な時間帯である、早朝日出前及び日没後の釣行を実現できる。
【図面の簡単な説明】
【００１７】
【図１】本発明、光ファイバー利用による擬似バリの全体の斜視図
【図２】本発明、光ファイバー利用による擬似バリ側面図及び上方面図
【図３】本発明、光ファイバー利用による擬似バリの断面図
【符号の説明】
【００１８】Ａ    本発明側面図
Ｂ    本発明上方面図
Ｃ    本発明断面図
Ｘ    本発明斜視図
１０  フライフックアイホール（道糸の接続のためのフックリング）
１１  フライフックベント部（針の反し部）
１２  フライボディ部
１３  光ファイバー使用のフライテール部
２０  光源用電源供給線兼道糸
３０  青色ＬＥＤ光源
３１  テール用受光部
【図１】
2006087420.tif 000003
【図２】
2006087420.tif 000004
【図３】
2006087420.tif 000005
(57)【要約】【課題】柄付きの玉網は、魚をすくった後、網の中で魚が暴れて、魚自体が傷付いたり、釣り糸などの仕掛けが絡んだりしていた。【解決手段】玉網の形状を変えることで、魚をすくった後、網は水面に位置し、生簀状態とすることができる。【選択図】図２
2006087414.tif 000002
【特許請求の範囲】
【請求項１】
魚をすくった後、玉網が水面近くに位置し、生簀としても使えることを特徴とする柄付きの玉網及びその形状とするための継ぎ手
【請求項２】
前記柄付きの玉網の網の位置は、クリップ式又は継ぎ手部分の伸縮で水面近くに調整可能であることを特徴とする請求項１記載の玉網及びその形状をとするための継ぎ手。
【発明の詳細な説明】
【技術分野】
【０００１】  この発明は、魚釣に使用する柄付きの玉網の柄の形状に関するものである。
【背景技術】
【０００２】  従来の柄付きの玉網は、直線の柄の先に玉網が設けられたものである。
【発明の開示】
【発明が解決しようとする課題】
【０００３】しかしながら、以上の形状によれば、魚をすくった後、魚が玉網の中で跳ね、魚自体が傷付いたり、釣り糸などの仕掛けの破損が生じていた。
そこで、この発明は、魚を跳ねさせないことで、魚の保護及び釣り糸などの仕掛けの破損防止を提供することを課題とする。
【課題を解決するための手段】
【０００４】  以上の課題を解決するために、第一発明は、これまで直線だった柄の形状を２箇所曲げることで、魚をすくった玉網が、その後、そのまま生簀形状となることを特徴とする。
また、第二発明は、水面までの距離に合わせて、玉網の位置（高さ）が調節可能とすることを特徴とする柄付きの玉網である。
【発明の効果】
【０００５】  この発明により捕獲した魚は網の中で跳ねることはなく、課題である魚の保護及び釣り糸などの仕掛けの破損防止を解決する。
【発明を実施するための最良の形態】
【０００６】  この発明の一実施形態を、図１に示す。
玉網の柄全体の形状は２箇所曲ることを特徴とする。また、玉網の位置は水面までの距離に合せて調節が可能。【０００７】「実施形態の効果」
この実施形態によれば、捕獲した魚は、常に水中に位置するため網の中で跳ねたり暴れたりすることはなくなる。【０００８】「他の実施形態」
図１の実施形態では、玉網の位置の調節はクリップ式にて行ったが、柄自体の伸縮による調節でも良い。
【図面の簡単な説明】
【０００９】
【図１】この発明の一実施形態を示す斜視図である。
【図２】この発明の一実施状態を示す側面図である。
【図３】従来技術を示す斜視図である。
【符号の説明】
【００１０】１  玉網            ２  柄
３  継ぎ手（２箇所曲る）
【図１】
2006087414.tif 000003
【図２】
2006087414.tif 000004
【図３】
2006087414.tif 000005
(57)【要約】【課題】    設備費や稼動コストを軽減すると共に、超音波音発振内に障害が生じた場合でも、屋内に侵入しようとする蚊やハエを確実に、且つ効率よく防除することができる防虫装置を提供すること。【解決手段】  本発明の防虫装置は、超音波音により昆虫を防除する防虫装置であって、該防虫装置は、家屋の開口部に、対向する状態で装着することを特徴とする。【選択図】    図１
2006087416.tif 000002
【特許請求の範囲】
【請求項１】
超音波音により昆虫を防除する防虫装置であって、該防虫装置は、家屋の開口部に、対向する状態に装着されることを特徴とする防虫装置。
【請求項２】
前記防虫装置は、開口部に少なくとも一対づつ対向する状態に装着される請求項１記載の防虫装置。
【発明の詳細な説明】
【技術分野】
【０００１】  本発明は、超音波音により昆虫を防除する防虫装置であって、特に、屋内に侵入しようと蚊やハエ等の昆虫を効率よく、且つ確実に防除することができる防虫装置に関する。
【背景技術】
【０００２】  従来、網戸から蚊のような比較的小さな昆虫が室内に侵入することを防止する昆虫を防除する網戸装置がある（例えば、特許文献１参照）。
上掲特許文献１の昆虫を防除する網戸装置は、網戸の網を導電性材料にて形成し、網戸の屋外側に昆虫を検地するための超音波検知器を配設し、超音波検知器の検知時に電圧を印加するための電圧印加装置を備えて成ることを特徴とする。
【特許文献１】特開昭６２−４０２３８号公報（第１−２頁、図１、図２）
【発明の開示】
【発明が解決しようとする課題】
【０００３】  しかしながら、上掲特許文献１の網戸装置は、超音波検知器や電圧印加装置等の設備費が嵩むという欠点があった。また、超音波検知器を作動させたり網へ電圧をかけたりするため稼動コスト面でも問題があった。また、長期使用による網の掃除や、定期的な網の張替え等が必要になるという煩わしさも残った。さらに、超音波検知器の超音波音発振内に人体等の障害があった場合、その死角部分から害虫が侵入するという問題も発生した。【０００４】  そこで本発明は、上記した従来技術の問題点を解消し、設備費や稼動コストを軽減すると共に、超音波音発振内に障害が生じた場合でも、屋内に侵入しようとする蚊やハエを確実に、且つ効率よく防除することができる防虫装置を提供することにある。
【課題を解決するための手段】
【０００５】  上記課題を解決するために、本発明の防虫装置は、超音波音により昆虫を防除する防虫装置であって、該防虫装置は、家屋の開口部に、対向する状態に装着されることを特徴とする。また前記防虫装置は、開口部に少なくとも一対づつ対向する状態に装着される。
【発明の効果】
【０００６】  前記構造の防虫装置を開口部に対向する状態に装着することで、両側面より超音波音が発振されるので、超音波音発振内に人が通過した場合でも、発振内に死角が生じることがなく、蚊やハエ等の害虫が屋内に侵入することを確実に防ぐことができる。また、前記防虫装置を開口部の少なくとも一対づつ対向する状態に装着することで、如何なる大きさやデザインの開口部であっても確実に対応することができる。さらに、超音波音により害虫を防除するので、従来の網の掃除や張替え等の手間も削減することができる。
【発明を実施するための最良の手段】
【０００７】  以下、本発明における防虫装置の実施の形態を図面に基づいて説明する。
本発明の防虫装置１は、家屋の開口部１０、特にサッシ窓の周囲や玄関口の周囲に装着するものである。また特に、前記防虫装置１は、図１に示すように、開口部１０の周囲に対向する状態に装着されている。そのため、開口部１０の両側面より超音波音が発振され、例えば発振範囲内に人やペット等が通過した場合でも、超音波内に死角が生じることがない。
【０００８】  図２は前記防虫装置１を省略した断面図であり、かかる防虫装置１は、超音波音発信源２と、かかる超音波音発信源２の外側に配設された反射板３とで構成されている。また、前記防虫装置１は、図３に示すように、長尺状の反射板３内に一連の超音波音発信源２を内蔵させた構造や、図４に示す長尺状の反射板３内に適宜間隔を有する状態で短状の超音波音発信源２を内蔵させた構造であってもよい。なお、超音波音の周波数を調整するコントローラー及びスイッチ（図示せず）は壁に内蔵されている。
【０００９】  前記超音波音発信源２からは、２０ｋＨｚ〜７０ｋＨｚの超音波音ａが発振される。この２０ｋＨｚ〜７０ｋＨｚは、蚊の天敵であるコウモリが発する超音波音と同じ周波数であり、かかる超音波音ａを感じた蚊は身の危険を感じ本能的に領域外へと逃散する。なお、防虫装置１から発振される超音波音の周波数は蚊を逃散させる周波数に限定されたものではなく、ハエや他の虫の種類に応じコントローラーにより適宜調整することが好ましい。
【００１０】  また前記防虫装置１は、図５に示すように、家屋の開口部１０の上下部分に一対設けてもよい。そのことにより、ドアーが障害になる両開きの出窓や玄関等においても、超音波発振内に死角が生じることがなく確実に防虫効果が得られる。
【００１１】  また他の好適例として、図６に示すように、複数の防虫装置１を開口部１０の周囲に少なくとも一対づつ対向する状態に装着してもよい。この際、小形状の防虫装置１を開口部１０の左右側面に対向する状態で複数装着したり、または上下部分（図示せず）に対向する状態で複数装着してもよい。なお、防虫装置１の設置する場所や数量等は特に限定されるものではない。
【００１２】  前記防虫装置１を開口部１０の周囲に取り付ける方法としては、図７に示すように、網戸用ガードレール１１にはめ込む方法や、図８に示すように、サッシ外側にビス１２にて固定する方法が挙げられる。
【図面の簡単な説明】
【００１３】
【図１】本発明による防虫装置の設置状態を示す正面図である。
【図２】前記防虫装置の拡大断面図である。
【図３】前記防虫装置の全体斜視図である。
【図４】他の好適例を示す防虫装置の全体斜視図である。
【図５】他の好適例を示す防虫装置の装着状態を示す。
【図６】その他の好適例を示す防虫装置の装着状態を示す。
【図７】防虫装置の取付状態断面図である。
【図８】他の取付状態断面図である。
【符号の説明】
【００１４】１    防虫装置
２    超音波音発信源
３    反射板
１０  開口部
１１  ガードレール
１２  ビス
Ａ    サッシ窓
ａ    超音波音
【図１】
2006087416.tif 000003
【図２】
2006087416.tif 000004
【図３】
2006087416.tif 000005
【図４】
2006087416.tif 000006
【図５】
2006087416.tif 000007
【図６】
2006087416.tif 000008
【図７】
2006087416.tif 000009
【図８】
2006087416.tif 000010
(57)【要約】【課題】  ルチン分解酵素が共存するルチン含有物について、特段の設備・作業を必要としない該分解酵素の失活方法を開発する。【解決手段】  粉砕時における被粉砕物の発熱等の作用を利用する。【特許請求の範囲】
【請求項１】
ルチン分解酵素の共存するルチン含有物を粉砕すると同時にルチン分解酵素を失活せしめる、該ルチン含有物の処理方法。
【請求項２】
ダッタンそば種子を粉砕すると同時に該種子に含まれるルチン分解酵素を失活せしめる、ダッタンそば種子の処理方法。
【請求項３】
自粉砕方式の粉砕機を使用して、粉砕と同時にルチン分解酵素を失活せしめる、請求項１又は請求項２記載の処理方法。
【請求項４】
相互に平行に同方向又は逆方向に回転する２枚の回転翼または回転板の間に被粉砕物を導入し、翼間又は板間に生ずる気流に乗った被粉砕物の相互衝撃により粉砕を行う自粉砕方式の粉砕機を使用して、粉砕と同時にルチン分解酵素を失活せしめる、請求項１又は請求項２記載の処理方法。
【発明の詳細な説明】
【技術分野】
【０００１】本発明は、そば類の種子に代表されるような、ルチンとルチン分解酵素とを含む物質の処理方法に関するものである。
【背景技術】
【０００２】ルチンはポリフエノールの一種であって、血液循環系の改善・強化を促進する機能を有することが良く知られており、そば類特にダッタンそばの種子に多く含有され、健康食品として注目を集めている。しかしながら、そば類の種子には、同時にルチン分解酵素が含まれており、加水によって作用が発現し、特にダッタンそばにおいては通常の日本そばに比べて数百倍もの強い分解作用を示し、ルチンの相当部分が苦味成分に転化する。これを防止するため、通常種子又は種子の粉砕物に対し乾燥加熱、湿潤加熱、加圧、エクストルーダー中での加熱等の酵素失活処理が実施される。（例えば特許第２７６６２５９号、特開平１１−７５７４３、特開２００１−２３１４７５、徳島工業技術センター報告：平成１３年度）。【０００３】このため、方法によって差はあるものの、焙煎・給湿加熱・加圧等の処理工程を必要とし、そのための設備と作業とがコストの増大を招くことは避けられない。
【特許文献１】特許第２７６６２５９号
【特許文献２】特開平１１−７５７４３
【特許文献３】特開２００１−２３１４７５
【非特許文献１】大村：徳島工業技術センター報告平成１３年度
【発明の開示】
【発明が解決しようとする課題】
【０００４】本発明においては、ルチン及びルチン分解酵素を含む物質に対し、特段の設備・操作を使用することなくルチン分解酵素を失活させる処理方法を開発する。
【課題を解決するための手段】
【０００５】上記課題を解決するため、本発明者らは以下のごとき発明を行った。
〔書類名〕特許請求の範囲
（１）特段のルチン分解酵素失活処理を施すことなく、ルチン分解酵素の共存するルチン含有物を粉砕すると同時にルチン分解酵素を失活せしめる、該ルチン含有物の処理方法。
（２）特段のルチン分解酵素失活処理を施すことなく、ダッタンそば種子を粉砕すると同時に該種子に含まれるルチン分解酵素を失活せしめる、ダッタンそば種子の処理方法。
（３）自粉砕方式の粉砕機を使用して、粉砕と同時にルチン分解酵素を失活せしめる、（１）又は（２）記載の処理方法。
（４）相互に平行に同方向又は逆方向に回転する２枚の回転翼または回転板の間に被粉砕物を導入し、翼間又は板間に生ずる気流に乗った被粉砕物の相互衝撃により粉砕を行う自粉砕方式の粉砕機を使用して、粉砕と同時にルチン分解酵素を失活せしめる、（１）又は（２）記載の処理方法。
【発明の効果】
【０００６】本発明により、特段の設備・操作を行うことなく、加工時に通常行われる粉砕操作のみによってルチン分解酵素の失活した状態のルチン含有物粉末を得ることが出来、コストの削減と生産効率の向上を期待することが出来る。
【発明を実施するための最良の形態】
【０００７】本発明における粉砕方法は、特に限定されず、粉砕時に被粉砕物に必要な発熱又は雰囲気等と関連するメカノケミカルな作用が得られるように選定されればよく、被粉砕物もそば類に限定されるものではないが、ダッタンそばは特にルチン含有量が多く、且つ分解酵素の活性が高いことから、主要な関心の対象となるものである。また、粉砕方法としては、自粉砕方式特に相互に平行に同方向又は逆方向に回転する２枚の回転翼または回転板の間に被粉砕物を導入し、翼間又は板間に生ずる気流に乗った被粉砕物の相互衝撃により粉砕を行う自粉砕方式の粉砕機（例えば特開平１１−３００２２４、特開２００１−３２１６８４、特開２００２−７９１８３）の使用は本発明の目的に適している。その理由は未だ確定的では無いが、上記粉砕機では粒径１０μｍ程度の微細な粒子を得ることが出来、衝突による瞬間的な発熱等が粒子全体に作用を及ぼしやすいことも考えられる。
【実施例】
【０００８】予備的な実験として、市販のダッタンそば粉（中国産）を２軸２翼の自粉砕方式粉砕機（特開２００２−７９１８３）で約２０分間粉砕し、粒径約１０μｍ前後の粒子が８０％以上の微粉としたものと、未処理の市販ダッタンそば粉とを、各々５０％の小麦粉と３０％の水分を加えて約３０分間手練りし、直径５〜６ｃｍの円盤上にして室温（２０〜２８℃）で２４時間保持した後、通常の方法でゆでてパネル１０名（関係者）により苦味の官能評価を行った。基準として、通常の日本そば粉を同様に処理したものの苦味を１、未処理のものの苦味を５として、粉砕処理したものの点数を求めたところ、結果は、４と答えたもの１名以外は総て２の評価であり、粉砕処理の有効性を示すものであった。
【産業上の利用可能性】
【０００９】本発明は適用が極めて容易であり、関連分野における広い実用が期待される。
(57)【要約】【課題】  園芸培養土などの移動時にこぼれないようにし、尚且つ篩としても使用できる、篩蓋付き小手シャベルを提供する。【解決手段】  小手シャベルの柄の取付け基部から、シャベルの先端までのシャベル部分をカバーし、尚且つ篩としても使用できるように、網素材でできた椀状の開閉する押さえ蓋を設けたことを特徴とする篩蓋付き小手シャベル。【選択図】  図１
2006087418.tif 000002
【特許請求の範囲】
【請求項１】
小手シャベルの柄の取付け基部から、シャベルの先端までのシャベル部分をカバーし、尚且つ篩としても使用できるように、網素材でできた椀状の開閉する押さえ蓋を設けたことを特徴とする篩蓋付き小手シャベル。
【発明の詳細な説明】
【技術分野】
【０００１】  本発明は、園芸培養土などの移動時にこぼれないようにし、尚且つ篩としても使用できる、篩蓋付き小手シャベルに関するものである。
【背景技術】
【０００２】  従来、園芸用小手シャベルは、植え穴などの土を掘ることの他、培養上などのすくい取り、移動の機能が主であり、培養土などを山盛りにすくい取った場合それをこぼさないよう注意してゆっくり移動させていた。
【発明の開示】
【発明が解決しようとする課題】
【０００３】  そのために、次のような問題があった。
園芸用小手シャベルで、培養土などを山盛りにして移動する時にこぼれ易く、特にパーライトやバーミキュライトなどの軽い材料は、少しの振動や微風でもこぼれてしまい、ベランダなどで園芸作業を行なう場合にはこぼれた物で周りが汚れ、作業後の掃除が大変であった。
本発明は以上の問題点を解決しようとするものである。
【課題を解決するための手段】
【０００４】  小手シャベルの柄の取付け基部に装着穴を設け、そこからシャベルの先端までシャベル部分をカバーし、尚且つ篩としても使用できるように、網素材でできた椀状の押さえ蓋を装着し、開閉レバーにより柄を握ったままで開閉する。以上を特徴とする篩蓋付き小手シャベルである。
【発明の効果】
【０００５】  本発明は、網素材でできた押さえ蓋により、小手シャベルですくい取った培養土や培養土材料などをこぼさず移動でき、尚且つ反転して篩としても使用できる。したがって、ベランダなどで園芸作業をする場合でも周りを汚すことなく作業ができ、しかも篩機能により、培養土材料の篩い分けや播種後の覆土かけなどにも使用できる。
【発明を実施するための最良の形態】
【０００６】以下、本発明の実施の形態について説明する。
（イ）小手シャベル本体（１）の柄（２）の取付け基部両側に装着穴（３）を設ける。
（ロ）網素材からなり、シャベルの先端までをカバーする椀状の篩蓋（４）の装着軸（５）を装着穴（３）に入れて、篩蓋（４）を装着する。
（ハ）開閉レバー（６）を柄（２）を握った手の親指で操作することにより、装着軸（５）を支軸にして篩蓋（４）が開閉する。
本発明は以上のような構造で、これを使用するときは、柄（２）を握った手の親指で開閉レバー（６）を手前に引き篩蓋（４）を開く、この状態のままシャベルで培養土などをすくい取り、その後開閉レバー（６）を親指で押して篩蓋（４）を閉じ、すくい取った培養土などを篩蓋（４）で押さえつけるようにしながら、他の場所まで移動する。
または、反転して篩蓋（４）を下にして振動させて篩として、培養土や培養土材料などの篩い分けや、播種後の覆土かけなどに使用する。
【図面の簡単な説明】
【０００７】
【図１】  本発明の斜視図
【図２】  本発明の分解斜視図
【図３】  本発明の使用状態を示す斜視図
【図４】  本発明の篩としての使用状態を示す斜視図
【符号の説明】
【０００８】    １  小手シャベル本体
２  柄
３  装着穴
４  篩蓋
５  装着軸
６  開閉レバー
【図１】
2006087418.tif 000003
【図２】
2006087418.tif 000004
【図３】
2006087418.tif 000005
【図４】
2006087418.tif 000006
(57)【要約】【課題】種々のタイプの浴槽に適用できるとともに、保温性、断熱性に優れ、かつ、簡単に着脱できる風呂ふたを提供する。【解決手段】浴槽４の内面に接して施蓋される風呂ふたＡであって、該風呂ふたＡは蓋本体とその周囲に連設され、上記浴槽の内面に接する保持部２とからなるとともに、上記蓋本体は断熱体１から構成され、上記保持部２は軟質材料から形成される。好ましくは、上記断熱体１は、上部アルミ蒸着シート１１と下部アルミ蒸着シート１２との２枚のアルミ蒸着シートの間に空気層１３を内包した断熱シートとされる。【選択図】図１
2006087651.tif 000002
【特許請求の範囲】
【請求項１】
浴槽の内面に接して施蓋される風呂ふたであって、該風呂ふたは蓋本体とその周囲に連設され、上記浴槽の内面に接する保持部とからなるとともに、上記蓋本体は断熱体から構成され、上記保持部は軟質材料から形成された風呂ふた。
【請求項２】
上記断熱体は、上部アルミ蒸着シートと下部アルミ蒸着シートとの間に空気層を内包した断熱シートである請求項１に記載の風呂ふた。
【請求項３】
上記断熱体の周囲にはワイヤが埋設された請求項１に記載の風呂ふた。
【請求項４】
上記ワイヤが形状記憶合金からなる請求項３に記載の風呂ふた。
【発明の詳細な説明】
【技術分野】
【０００１】
本発明は、風呂ふたに関する。さらに詳しくは、浴槽の内面に接して施蓋される風呂ふたの構造に関する。
【背景技術】
【０００２】
通常、一般家庭におけるユニットバス等に施蓋される風呂ふたは、巻き蓋、組み蓋等を浴槽の周囲に設けられたフランジ面に載置して使用される。
【特許文献１】特開平１０−１１７９５７号公報（第１−４頁、第１図）
【発明の開示】
【発明が解決しようとする課題】
【０００３】
しかしながら、上記浴槽のフランジ面の特定箇所、例えば、該フランジ面の隅部に湯水混合栓がデッキ水栓として設けられた場合、このデッキ水栓を避けるように巻き蓋、組み蓋等に切欠きを設けるか、あるいは形状を変える必要がある。このように、巻き蓋、組み蓋等の一部を切欠くのは手間がかかり、また、浴槽のタイプに合わせて種々の形状の風呂ふたを製作することは生産効率に劣り、コスト的に有利とはいえない。本発明は、このような問題点を解決してデッキ水栓を備えた浴槽等、種々のタイプの浴槽に適用できるとともに、保温性、断熱性に優れ、簡単に着脱できる風呂ふたを提供することを、その課題とする。
【課題を解決するための手段】
【０００４】
上記課題を解決するために、本発明においては、つぎのような技術的手段を講じている。すなわち、本発明によれば、浴槽の内面に接して施蓋される風呂ふたであって、該風呂ふたは蓋本体とその周囲に連設され、上記浴槽の内面に接する保持部とからなるとともに、上記蓋本体は断熱体から構成され、上記保持部は軟質材料から形成された風呂ふたが提供される。
【０００５】
上記断熱体としては、断熱性材料、例えば、発泡ポリエチレン、発泡ポリウレタンフォーム等の合成樹脂発泡体、スポンジあるいは２枚の耐水性シートの間に空気層を内包させた断熱シート等を用いることができる。中でも、断熱シートを用いることが好ましく、ＰＥＴ等のプラスチックシートに金属アルミを蒸着させたアルミ蒸着シートを上部と下部の２層に用い、その間に空気層を内包させた断熱シートが好ましく用いられる。また、上記断熱シート内の空気層は単にサンドウィッチ状に内包されてもよく、また、上下２枚のアルミ蒸着シートの間を多数のセルに区切り、空気層を多数の空気室から構成してもよい。
【０００６】
上記断熱体の周囲にはワイヤが埋設されることが好ましい。このワイヤは金属製、硬質プラスチック製等とくに限定されるものではないが、金属、とくに形状記憶合金から形成されることが好ましい。
【発明の効果】
【０００７】
請求項１に記載の本発明にかかる風呂ふたは、蓋本体と該蓋本体に連設されて浴槽の内面に接する保持部とからなり、上記蓋本体は断熱体から構成され、上記保持部は軟質材料から形成されているため、浴槽に容易に内嵌され、保温性、断熱性よく施蓋することができる。また、浴槽は通常フランジ面から下方に狭くなるようにテーパ状とされているため、簡単に着脱することができる。
【０００８】
上記断熱体は、上下２枚のアルミ蒸着シートの間に空気層を内包した断熱シートとされているため、軽量で断熱効果に優れるとともに、湯温の低下を防いで保温性よく施蓋することができる。
【０００９】
上記断熱体の周囲にはワイヤが埋設されているため、浴槽の形状に追従した輪郭を形成できるとともに、ワイヤの張力により蓋本体を浴槽の内壁に圧接することができる。さらに、上記ワイヤを形状記憶合金から構成することにより、折り畳んで場所を取らずに収納することが可能となり、使用時には元の形状に復帰するため、簡単に施蓋することができる。
【発明を実施するための最良の形態】
【００１０】
以下、本発明の実施形態について図面を参照して、詳細に説明する。図１は、本発明にかかる風呂ふたＡの概略構成を示す側断面図であり、図２は、図１の風呂ふたＡの要部を示す側断面図である。図１、図２からよくわかるように、上記風呂ふたＡは浴槽４の内面に接して施蓋され、蓋本体としての断熱体１と断熱体１の周囲に連設されるとともに、上記浴槽４の内面に接する保持部２とからなる。また、上記断熱体１としての断熱シートは上部アルミ蒸着シート１１、下部アルミ蒸着シート１２の２枚のアルミ蒸着シートの間に空気層１３を含んで構成されている。また、保持部２は、軟質ゴムからなるとともに、浴槽４の内面との接触性が良好となるように舌片状に形成されている。
【００１１】
図２によく示されているように、断熱体１の周囲には形状記憶合金からなるワイヤ３が埋設され、断熱体１が浴槽４の形状に追従して輪郭を形成し、ワイヤの張力により蓋本体を浴槽の内壁に圧接して施蓋する。また、取り外したときは、折り畳んで場所を取らずに収納可能とされ、施蓋時には元の形状に容易に復帰して使用できる。
【００１２】
図３は、浴槽４に本発明にかかる風呂ふたＡを施蓋した状態を示す斜視図である。なお、図３には示していないが、浴槽４への着脱が容易となるように、リング状、ひも状等、種々の形状の取っ手を取り付けてもよく、また、上部アルミ蒸着シート１１と下部アルミ蒸着シート１２との間を多数のセルに区切り、空気層を多数の空気室から構成してもよい。このように、本発明にかかる風呂ふたＡは種々設計変更可能であり、いずれも本発明の技術的範囲に属する。
【図面の簡単な説明】
【００１３】
【図１】本発明にかかる風呂ふたの概略構成を示す側断面図である。
【図２】図１に示す風呂ふたの要部を示す側断面図である。
【図３】浴槽に本発明にかかる風呂ふたを施蓋した状態を示す斜視図である。
【符号の説明】
【００１４】
Ａ          本発明にかかる風呂ふた
１          断熱体
１１        上部アルミ蒸着シート
１２        下部アルミ蒸着シート
１３        空気層
２          保持部
３          ワイヤ
４          浴槽
【図１】
2006087651.tif 000003
【図２】
2006087651.tif 000004
【図３】
2006087651.tif 000005
(57)【要約】 【課題】従来の算盤形指圧器は、裏板に支持枠を固定し、連結枠のない形状で製作している。指圧器を押圧し回転させ、前後に移動すると側枠の角が体表に触れ傷がつく、尚、指圧器の二面の側枠を手に持つと両端のローラーに指が触れて非回転になる。また、ローラーが触れないように側枠持つと過大な力が必要とし肩が凝る。【解決手段】連結枠と支持枠からなる手で持つことが可能な大きさの枠体内に、複数の軸が互いに平行に固定され、前記軸に複数のローラーが間隙をもって回転可能に装備されたマッサージ具である。なお、前記軸が連結枠に平行に固定された算盤形状のマッサージ具であっても良い。又、連結枠の寸法が支持枠の寸法より長くても良い。さらに、連結枠の寸法が支持枠の寸法よりも短い横長形状のマッサージ具であっても良い。尚、ローラーは算盤珠形状が好ましい。【選択図】  図１
2006087654.tif 000002
【特許請求の範囲】
【請求項１】
連絡枠と支持枠からなる手で持つことが可能な大きさの枠体内に、複数の軸が互いに平行に固定され、前記軸に複数のローラーが間隙をもって回転可能に装備されたことを特徴とするマッサージ具。
【請求項２】
請求項1のマッサージ具において、前記軸が連結枠に平行に固定されたことを特徴とするマッサージ具。
【請求項３】
前記ローラーはソロバン珠形状であることを特徴とする請求項１又は２項に記載のマッサージ具。
【発明の詳細な説明】
【技術分野】
【０００１】
この発明は、支持枠の枠体を手に掴んで小さな力で簡便に取り扱うことができる。マッサージ具に関すものである。
【背景技術】
【０００２】
局所を押圧して血行を良くする指圧器は、側枠と軸で構成された算盤形指圧器はある。（例えば、文献１参照）
【０００３】
【特許文献１】実開６０−１６３９３１号  公報
【発明の開示】
【発明が解決しようとする課題】
【０００４】
前記の算盤形指圧器は、側枠と裏面を一体で凹形に、又、裏面に穴をあけて製作している。
それは、算盤形指圧器の裏面を台座に固定出来るように側枠と裏面を一体化にしている。又、算盤形指圧器を手に持て押圧して回転するように、前後に移動すると危険で過大な力を必要とする。それは、算盤形指圧器を手に持て押圧して移動すると、側枠の角が体表に触れ皮膚に傷がつく。尚、指圧器の側枠が二面であるので手に持って押圧して移動すると両端のローラーに指が触れて非回転状態になり摩擦で皮膚に傷をつける。
【０００５】
また、両端のローラーに指が触れないようにするには算盤形指圧器の側枠が二面であるので指で持って押圧して移動すると、手と腕に負担がかかり過大な力が必要とする。から肩が凝り体を満遍なく揉み解すことができない。尚、算盤形指圧器の形状は指圧を目的とした構造であるのでマッサージ具としては、側枠が二面であるため安全性に劣りマッサージ具に適してない。  マッサージ具を体表に当接し上下に擦り、ローラーが左右に移動を繰り返すことで、きめ細かな体表へ刺激と揉み解しができる安全で安心できるマッサージ具を提供する。
【課題を解決するための手段】
【０００６】
上記問題を解決するために、連結枠と支持枠からなる手で持つことが可能な大きさの枠体内に、複数の軸が互いに平行に固定され、前記軸に複数のローラーが間隙をもって回転可能に装備されたマッサージ具である。
【０００７】
なお、本発明のマッサージ具は、前記軸が連結枠に平行に固定された算盤形状のマッサージ具であっても良い。又、本発明のマッサージ具は、連結枠の寸法が支持枠の寸法より長いマッサージ具であっても良い。さらに、本発明のマッサージ具は、連結枠の寸法が支持枠の寸法よりも短い横長形状のマッサージ具であっても良い。なお、本発明のマッサージ具は、連結枠と支持枠の角に丸みを付け滑らかに仕上げることが好ましい。尚、本発明のマッサージ具のローラーは算盤珠形状が好ましい。
【発明の効果】
【０００８】
本発明のマッサージ具は、連結枠と支持枠からなる手で持つことが可能な大きさの四面枠体で構成されているため、上下、左右に移動を繰り返してしも皮膚に傷をつけないマッサージ具としても良い。
【０００９】
連結枠に手を添えてローラーを皮膚に当接させ、上下に擦る事によりローラーが左右に移動するので、小さな力で皮膚に刺激を与えることができる。また。
【００１０】
又、顔、体、腕、脚、手、足、指先の関節、膝、の患部にローラーを当接して上下に擦る事によりローラーが左右に移動する事により、血液とリンパ液の循環をよくして新陳代謝を高めることで体が揉み解され、患部の痛みも取れ、美容と健康の促進をはかる。簡便にマッサージの効果を得ることができる。
【００１１】
又、本発明のマッサージ具を片手に持てる大きさであるから、ポッケト、ハンドバック等に忍ばせ持ち運び、手の中に隠れ、場所を選ばず手軽に使用することができる。
【発明を実施するための最良の形態】
【００１２】
本発明の実施形態を実施例となる図１〜図２より説明する、図１は連結枠１の寸法が支持枠２の寸法よりも短い横長形状のマッサージ具を示している。連結枠１と支持枠２の寸法は連結枠１が約3ｃｍ〜９ｃｍ、支持枠２は約6.5ｃｍ〜９ｃｍ以内で手の中に入る大きさでる。又、連結枠１と支持枠２で形成される枠体の形状は多角形、円形、楕円形であっても良い。尚、連結枠１と支持枠２の材質はプラスッチクも使用可能だが、木製で歪のない黒檀が好ましい。
【００１３】
尚、図１で示すように、ローラー軸３は支持枠２に所定の間隔を持って固定している。ローラー軸３の寸法は直径を約３ｍｍ程度で長さは対向する支持枠２間に固定できる長さである。ローラー軸の間隔は約14ｍｍ程度で等間隔に支持枠２に固定している。ローラーの軸３はプラスッチクも使用可能だが、良く乾燥した竹が好ましい。又、図１で示すように、ローラー軸3には中央部貫通孔をもったローラー4を装備してローラー４が左右に移動できるようにローラー４間の隙間を５mm程度設けて形成している。又ローラー４の寸法は直径１３mm程度が好ましいが１２mm〜２０mm以内であれば良い。なお、ローラー４の形状はソロバン珠形状が好ましいが、ソロバン珠に１〜2mm程度の面をつけた、台形の形状としても良い。なお、ローラー４の材質はプラスッチクも使用可能だが、良く乾燥した樺、つげが好ましい。
【００１４】
尚、図中の５は連結枠１支持枠２を連結する連結ピンを示しており、組立に際しては図２に示すように支持枠２の中ほどに複数のローラー軸挿入孔８を設けるとともに両端部には連結枠１の端部も受けた凸部嵌合する凹部７を設けことで組み立てることが出来る。
【図面の簡単な説明】
【００１５】
【図１】この発明の、実施例となるマッサージ具を示す全体斜視図である。
【図２】マッサージ具の組立て詳細斜視図である
【符号の説明】
【００１６】
１      連結枠
２      支持枠
３      ローラー軸
４      ローラー
５      連結ピン
６      凸部
７      凹部
８      ローラー軸挿入孔
【図１】
2006087654.tif 000003
【図２】
2006087654.tif 000004